(57)【要約】【課題】吸込具の接続状態を検知し、その出力に応じて、吸込具への電力供給状態を変更することにより、使用性の高い電気掃除機を提供することを目的としている。【解決手段】被掃除面上の塵埃を掻き出す回転ブラシ、前記回転ブラシを駆動する駆動手段４１を有する吸込具４０と、吸引風を発する電動送風機１３を内蔵した掃除機本体１０と、前記吸込具４０と前記掃除機本体１０とを接続する接続部（２０、３０）と、前記接続部（２０、３０）への前記吸込具４０の接続状態を検知する検知手段（２１、３１）とを備え、前記検知手段（２１、３１）の出力に応じて前記駆動手段４１へ供給する電力および／または電力供給モードを変更するものである。【選択図】  図１
2005006815.tif 000002
【特許請求の範囲】
【請求項１】
被掃除面上の塵埃を掻き出す回転ブラシ、前記回転ブラシを駆動する駆動手段を有する吸込具と、吸引風を発する電動送風機を内蔵した掃除機本体と、前記吸込具と前記掃除機本体とを接続する接続部と、前記接続部への前記吸込具の接続状態を検知する検知手段と、前記駆動手段に供給する電力を制御する制御手段とを備え、前記制御手段は前記検知手段の出力に応じて前記駆動手段へ供給する電力および／または電力供給モードを変更する電気掃除機。
【請求項２】
接続部は、吸込具を接続する延長管、前記延長管と掃除機本体を接続するホースから構成されるとともに、検知手段を前記ホースに設けた請求項１記載の電気掃除機。
【請求項３】
接続部は、吸込具を接続する延長管、前記延長管と掃除機本体を接続するホースから構成されるとともに、検知手段を前記延長管に設けた請求項１記載の電気掃除機。
【請求項４】
検知手段が、吸込具が接続されていないことを検知したときには、吸込具への電力供給を停止する請求項２または３記載の電気掃除機。
【請求項５】
検知手段の出力により、吸込具の種類に応じて吸込具への電力供給モードを変更する請求項２または３記載の電気掃除機。
【請求項６】
検知手段を、機械的接続をＯＮ／ＯＦＦ信号として出力するスイッチなどの接触式検知手段とした請求項１〜５のいずれか１項に記載の電気掃除機。
【請求項７】
検知手段を、電気的接続をＯＮ／ＯＦＦ信号として出力する非接触式検知手段とした請求項１〜５のいずれか１項に記載の電気掃除機。
【請求項８】
非接触検知手段として赤外線などの光を用いた請求項７記載の電気掃除機。
【請求項９】
非接触検知手段として磁気を用いた請求項７記載の電気掃除機。
【請求項１０】
吸込具に磁気発生器を設けた請求項９記載の電気掃除機。
【請求項１１】
吸込具に被検知手段を設け、掃除機本体には前記被検知手段の出力信号を検知する検知手段を設けた請求項１記載の電気掃除機。
【請求項１２】
吸込具の種類に応じて被検知手段の設定値を異なるように設定した請求項１１記載の電気掃除機。
【請求項１３】
被検知手段は吸込具への電力供給配線間に接続する構成とした請求項１１または１２記載の電気掃除機。
【請求項１４】
検知手段の出力により、吸込具が短絡状態であることを検知したときには、前記吸込具への電力供給を停止する請求項１〜１３のいずれか１項に記載の電気掃除機。
【請求項１５】
吸込具への通電状態を報知する報知手段を設けた請求項１〜１４のいずれか１項に記載の電気掃除機。
【発明の詳細な説明】
【０００１】
【発明の属する技術分野】
本発明は、吸込具あるいは延長管などのアタッチメントの接続状態に応じて吸込具への供給電力を制御する電気掃除機に関するものである。
【０００２】
【従来の技術】
従来の電気掃除機は図５に示すような構成が一般的であった。以下、その構成について説明する。
【０００３】
図５に示すように、掃除機本体１は塵埃を吸引するための電動送風機２を内蔵しており、電動送風機２の吸引側すなわち前方には塵埃を集塵するための集塵室３を設けている。掃除機本体１の前部には集塵室３と連通する吸気口４を設け、この吸気口４には、一端側に手元操作部５を有するホース６の他端側を接続し、手元操作部５側には延長管７や、回転ブラシやこれを駆動する電動機（ともに図示せず）などを備えた吸込具８を接続し、吸込具８、延長管７、ホース６、吸気口４、集塵室３で塵埃吸気経路９を形成している。吸込具８は延長管７の一端に接続して使用する方法と、延長管７を外して手元操作部５の先端部に接続して使用する場合がある。
【０００４】
一般的には、掃除を行う人が被掃除床面の状態に合わせて手元操作部５に設けられた操作スイッチを選択し、電動送風機２の電力を制御するものであるが、最近では吸込具８の着脱を検知して自動的に電動送風機２の電力を制御するものもある（例えば、特許文献１参照）。
【０００５】
【特許文献１】
特開２００１−１５７６５６号公報
【０００６】
【発明が解決しようとする課題】
しかしながら従来の構成では、吸込具８の着脱に拘わらず吸込具８には内蔵した電動機を駆動するための電力が供給されており、吸込具８を外した状態であやまって吸込具８への配線間や接続端子間を短絡してしまい、掃除機が故障に至る場合が発生していた。
【０００７】
本発明は前記の課題を解決するもので、吸込具の接続状態を検知し、その出力に応じて、吸込具への電力供給状態を変更することにより、使用性の高い電気掃除機を提供することを目的としている。
【０００８】
【課題を解決するための手段】
前記目的を達成するために本発明は、被掃除面上の塵埃を掻き出す回転ブラシ、前記回転ブラシを駆動する駆動手段を有する吸込具と、吸引風を発する電動送風機を内蔵した掃除機本体と、前記吸込具と前記掃除機本体とを接続する接続部と、前記接続部への前記吸込具の接続状態を検知する検知手段と、前記駆動手段に供給する電力を制御する制御手段とを備え、前記制御手段は前記検知手段の出力に応じて前記駆動手段へ供給する電力および／または電力供給モードを変更するもので、吸込具の接続状態を検知し、その出力に応じて前記駆動手段へ供給する電力および／または電力供給モードを変更するため、吸込具を外した状態であやまって吸込具への配線間や接続端子間を短絡してしまい、掃除機が故障に至る場合を防止できるとともに、吸込具の種類に応じて電力供給モードを変更できるため、吸込具の種類に応じて回転ブラシの回転制御を変更でき、使用性の向上、ひいては、集塵性能の向上につながる。
【０００９】
【発明の実施の形態】
本発明の請求項１記載の発明は、被掃除面上の塵埃を掻き出す回転ブラシ、前記回転ブラシを駆動する駆動手段を有する吸込具と、吸引風を発する電動送風機を内蔵した掃除機本体と、前記吸込具と前記掃除機本体とを接続する接続部と、前記接続部への前記吸込具の接続状態を検知する検知手段と、前記駆動手段に供給する電力を制御する制御手段とを備え、前記制御手段は前記検知手段の出力に応じて前記駆動手段へ供給する電力および／または電力供給モードを変更するもので、吸込具の接続状態を検知し、その出力に応じて前記駆動手段へ供給する電力および／または電力供給モードを変更するため、吸込具を外した状態であやまって吸込具への配線間や接続端子間を短絡してしまい、掃除機が故障に至る場合を防止できるとともに、吸込具の種類に応じて電力供給モードを変更できるため、吸込具の種類に応じて回転ブラシの回転制御を変更でき、使用性の向上、低騒音化、ひいては、集塵性能の向上につながる。
【００１０】
本発明の請求項２記載の発明は、接続部は、吸込具を接続する延長管、前記延長管と掃除機本体を接続するホースから構成されるとともに、検知手段を前記ホースに設けたもので、延長管を介さず、ホースに吸込具を直接接続した場合でも、吸込具の接続状態を確実に検知できる。
【００１１】
本発明の請求項３記載の発明は、接続部は、吸込具を接続する延長管、前記延長管と掃除機本体を接続するホースから構成されるとともに、検知手段を前記延長管に設けたもので、通常の掃除状態は、吸込具を延長管に接続し、前記延長管をホースを介して掃除機本体に接続しているので、検知手段を前記延長管に設けたことで、吸込具の接続が確実に検知できる。
【００１２】
本発明の請求項４記載の発明は、検知手段が、吸込具が接続されていないことを検知したときには、吸込具への電力供給を停止するもので、あやまって吸込具への配線間や接続端子間を短絡しても掃除機は故障しない。
【００１３】
本発明の請求項５記載の発明は、検知手段の出力により、吸込具の種類に応じて吸込具への電力供給モードを変更するもので、吸込具の種類に応じた電力供給モードが設定でき、吸込具の種類に応じて回転ブラシの回転制御を変更でき、使用性の向上、低騒音化、ひいては、集塵性能の向上につながる。
【００１４】
本発明の請求項６記載の発明は、検知手段を、機械的接続をＯＮ／ＯＦＦ信号として出力するスイッチなどの接触式検知手段としたもので、安価でかつ確実な検知ができる。
【００１５】
本発明の請求項７記載の発明は、検知手段を、電気的接続をＯＮ／ＯＦＦ信号として出力する非接触式検知手段としたもので、吸込具の接続部におけるごみづまり等による機械的な故障がないため、検知の信頼性を向上できる。
【００１６】
本発明の請求項８記載の発明は、非接触検知手段として赤外線などの光を用いたもので、低コストで構成できる。
【００１７】
本発明の請求項９記載の発明は、非接触検知手段として磁気を用いたもので、ごみ等の汚れに強いため、検知の信頼性を向上できる。
【００１８】
本発明の請求項１０記載の発明は、吸込具に磁気発生器を設けたもので、低コストで衝撃に強い。
【００１９】
本発明の請求項１１記載の発明は、吸込具に被検知手段を設け、掃除機本体には前記被検知手段の出力信号を検知する検知手段を設けたもので、より廉価な手段で検知手段の構成を実現できる。
【００２０】
本発明の請求項１２記載の発明は、吸込具の種類に応じて被検知手段の設定値を異なるように設定したもので、吸込具の種類に応じた電力供給モードが設定でき、吸込具の種類に応じて回転ブラシの回転制御を変更でき、使用性の向上、低騒音化、ひいては、集塵性能の向上につながる。
【００２１】
本発明の請求項１３記載の発明は、被検知手段は吸込具への電力供給配線間に接続する構成としたもので、吸込具との配線数を増やすこともなく吸込具の検知を行うことができる。
【００２２】
本発明の請求項１４記載の発明は、検知手段の出力により、吸込具が短絡状態であることを検知したときには、前記吸込具への電力供給を停止するもので、あやまって吸込具への配線端子間を短絡しても故障を招くことは無い。
【００２３】
本発明の請求項１５記載の発明は、吸込具への通電状態を報知する報知手段を設けたもので、使用者が吸込具への通電を確認でき、故障状態をいち早く確認できる。
【００２４】
【実施例】
（実施例１）
本発明の第１の実施例について図１および図２を用いて説明する。図１は本発明の一実施例の電気掃除機のブロック図を示している。
【００２５】
図１において、４０は被掃除面上の塵埃を掻き出す回転ブラシ（図示せず）を駆動する駆動手段である電動機４１とこの電動機４１に電力を供給する接続端子４２を内蔵した吸込具、３０は前記吸込具４０に接続し電動機４１に電力を供給する接続端子３２および吸込具４０の接続の有無を検知する検知手段３１（本実施例ではマイクロスイッチ３４を用いて制御手段３５を兼用している）を内蔵した延長管（吸込具４０と掃除機本体１０とを接続する接続部）である。２０は前記吸込具４０または延長管３０に接続し電動機４１に電力を供給する接続端子２２および前記吸込具４０または延長管３０の接続の有無を検知する検知手段２１（同様にマイクロスイッチ２４を用いており、制御手段２５も兼用している）を内蔵したホース（吸込具４０と掃除機本体１０とを接続する接続部）である。１３は塵埃を吸引するための電動送風機、１２は前記電動機４１に電力を供給する接続端子、１４は前記電動送風機を駆動する電動送風機駆動手段であり、これら電動送風機１３、接続端子１２および電動送風機駆動手段１４はいずれも掃除機本体１０に内蔵している。
【００２６】
図２に検知手段の具体的な一実施例を示す。これは吸込具４０と延長管３０との接続を示す図である。吸込具４０の接続部位には、延長管３０に設けられた接続端子３２と電気的に接続される接続ピン（接続端子）４２および検知リブ４９が設けられている。また、延長管３０内には検知リブ４９に対向する位置に可動板３３を備えたマイクロスイッチ３４を配設している。ここで、可動板３３は検知手段３１として、またマイクロスイッチ３４は制御手段３５として動作する。
【００２７】
延長管３０の他端とホース２０の吸込具４０との接続部位についても同様に、延長管３０には検知リブ３９を、ホース２０には可動板２３を備えたマイクロスイッチ２４を配設し、同様に検知手段２１および制御手段２５として動作する。なおいずれのマイクロスイッチ（２４、３４）も、吸込具４０への配線の片側に直列にＮＯ（ノーマル・オープン）接続されているため、吸込具４０や延長管３０が接続されていない状態では、マイクロスイッチの接点はＯＦＦ状態となり、吸込具４０には電力は供給されない。
【００２８】
前記構成において以下その作用を説明する。
【００２９】
吸込具４０を延長管３０に挿入すると、検知リブ４９がマイクロスイッチ３４の可動板３３を押すため、前記マイクロスイッチ３４の接点はＯＮ状態になり、吸込具４０が接続されたかどうかを検知すると同時に吸込具４０への電力供給が可能な状態となる。同様に、ホース２０に吸込具４０または延長管３０を挿入するとマイクロスイッチ３４はＯＮ状態になり、吸込具４０に電力が供給される。つまり、ホース２０に吸込具４０を直接または延長管３０を介して間接的に接続した場合にのみ、制御手段２５や制御手段３５が動作して吸込具４０に電力が供給され、これ以外の場合には電力は供給されない。なお本実施例ではマイクロスイッチ２４、３４を検知手段と制御手段を兼用したが、検知手段と制御手段とを分けても良い。
【００３０】
（実施例２）
以下、本発明の第２の実施例について図３を用いて説明する。なお、図１および図２と同様の動作を行うものは同一符号を付し、ここでは説明は省略する。
【００３１】
図３において、４７は永久磁石でありホース２０や延長管３０との接続部位側の吸込具４０内に配置している。また、３６は磁気により接点をＯＮするリードスイッチであり、吸込具４０への通電を開閉制御する。延長管３０の他端とホース２０の接続部位についても、同様に、延長管３０の他端側には永久磁石（図示せず）を、ホース２０にはリードスイッチ（図示せず）を配設している。それぞれホース２０内および延長管３０内に、検知手段兼制御手段および検知手段兼制御手段として、前記永久磁石３６は、永久磁石４７に対向する位置に配設されている。
【００３２】
前記構成において以下その作用を説明する。
【００３３】
吸込具４０を延長管３０に挿入すると、永久磁石４７の磁気に反応してリードスイッチ３６の接点はＯＮ状態になり、吸込具４０が接続されたかどうかを検知すると同時に吸込具４０への電力が供給可能な状態となる。同様に、ホース２０に吸込具４０または延長管３０を挿入すると、リードスイッチ（図示せず）はＯＮ状態になり吸込具４０に電力が供給される。つまり、ホース２０に吸込具４０を直接または延長管３０を介して間接的に接続した場合にのみ、制御手段および検知手段であるリードスイッチ３６とホース２０内のリードスイッチ（図示せず）が動作して吸込具４０に電力が供給され、これ以外の場合には電力は供給されない。
【００３４】
なお本実施例では、前記リードスイッチ３６やホース２０内のリードスイッチ（図示せず）を検知手段兼制御手段として用いたが、検知手段と制御手段とを分けても良い。また、吸込具への配線数を増やし、永久磁石の替わりに電磁石を用いても良い。さらに磁気の替わりに赤外線などの光を用いても良い。
【００３５】
（実施例３）
以下本発明の第３の実施例について図４を用いて説明する。なお図１〜図３と同様の動作を行うものは同一符号を付し、ここでは説明は省略する。
【００３６】
図４において、４８は吸込具４０に内蔵した被検知手段（本実施例では固定抵抗器を用いている）であり接続端子４２間に並列に接続している。１１は前記被検知手段４８と一端を接続する検知手段（本実施例では固定抵抗器を用いている）である。本実施例では前記被検知手段４８と検知手段１１と直流電源に直列接続しているので、検知手段１１の出力は直流電圧となる。なおその一端は交流電源の片側と共通にしているので、配線数は同じままである。また１５は、前記検知手段１１の出力に応じて吸込具４０への電力供給を制御する制御手段であり、実施例１に示した電動機駆動手段１４の動作を含んでいる。また１６は吸込具４０への電力供給が行われている場合に点灯する表示手段（報知手段）であり、本実施例では制御手段１５と直列接続している。
【００３７】
上記構成による動作は以下の通りである。
【００３８】
吸込具４０を挿入していない状態では検知手段１１の出力電圧は０Ｖであり、制御手段１５はこの出力により吸込具４０には電源供給を行わない。したがって、表示手段１６は消灯したままである。
【００３９】
吸込具４０を延長管３０に挿入すると、被検知手段４８と検知手段１５との分圧電圧（例えば２．５Ｖ）が検知手段１１から出力され、制御手段１５は吸込具４０に電源供給を行う。これにより表示手段１６は点灯し、吸込具４０への電力供給が正常に行われていることを目視確認できる。
【００４０】
ここで吸込具４０やその配線端子間１２、２２、３２または４２のいずれかが短絡されていると、被検知手段４８と検知手段１５との分圧電圧は直流電源電圧そのもの（例えば５Ｖ）が検知手段１１から出力され、何らかの異常が吸込具４０かその配線系統に発生していることがわかるため、制御手段１５は吸込具４０に電源供給を停止する。これにより吸込具４０の故障拡大を招くことも掃除機本体１０の故障を招くことも無い。この時表示手段１６は消灯する。
【００４１】
なお、被検知手段４８の固定抵抗値を吸込具の種類に応じて設定すれば、吸込具の種類に応じた電力供給モード（例えば、低電圧駆動やＯＮ／ＯＦＦ制御など）を変更することにより、吸込具の特性に合わせた制御を行うことができる。
【００４２】
さらに、これらの技術をセントラルクリーナに応用すれば、セントラルクリーナについても同様の効果を得ることができる。
【００４３】
【発明の効果】
本発明によれば、吸込具の接続状態を検知し、その出力に応じて、吸込具への電力供給状態を変更することにより、使用性の高い電気掃除機を提供できる。
【図面の簡単な説明】
【図１】本発明の第１の実施例における電気掃除機のブロック図
【図２】同電気掃除機の接続部位の断面図
【図３】本発明の第２の実施例における電気掃除機の接続部位の断面図
【図４】本発明の第３の実施例における電気掃除機のブロック図
【図５】従来の電気掃除機の全体斜視図
【符号の説明】
１０  掃除機本体
２０  ホース
３０  延長管
４０  吸込具
１１、２１、３１  検知手段
１５、２５、３５  制御手段
【図１】
2005006815.tif 000003
【図２】
2005006815.tif 000004
【図３】
2005006815.tif 000005
【図４】
2005006815.tif 000006
【図５】
2005006815.tif 000007